(57)【要約】【課題】吊りボルトを取り付ける係止金物を有効利用するとともに、接合部に作用する力の方向に応じて伝達箇所を分散させることが可能なユニット建物を提供する。【解決手段】吊りボルト５の取り付けが可能な箱金物２を壁内部に備えた下階建物ユニット１Ａ上に上階建物ユニット１Ｂを接合するユニット建物１０である。  箱金物２は、吊りボルト５を螺合可能な六角ナット２１と壁内部に取り付け固定するための枠体２２とを有し、六角ナット２１に下端を固定した連結ボルト３の上端を上階建物ユニット１Ｂに固定するとともに、下階建物ユニット１Ａの壁上枠１１と上階建物ユニット１Ｂの床下枠１２とをせん断ボルト４で接合する。【選択図】図１
2007262867.tif 000002
【特許請求の範囲】
【請求項１】
吊りボルトの取り付けが可能な係止金物を壁内部に備えた下階建物ユニット上に上階建物ユニットを接合するユニット建物であって、
前記係止金物は、前記吊りボルトを螺合可能な雌ねじ部と前記壁内部に取り付け固定するための枠体とを有し、
前記雌ねじ部に下端を固定した連結ボルトの上端を前記上階建物ユニットに固定するとともに、前記下階建物ユニットの上端部と前記上階建物ユニットの下端部とをせん断ボルトで接合することを特徴とするユニット建物。
【請求項２】
請求項１に記載のユニット建物の構築方法であって、前記係止金物の雌ねじ部に前記吊りボルトを螺合して前記下階建物ユニットを吊り上げて所定の位置に設置し、前記係止金物から前記吊りボルトを取り外し、前記雌ねじ部に前記連結ボルトを螺合して前記連結ボルトの上端を前記下階建物ユニット上に設置した上階建物ユニットに固定するとともに、前記下階建物ユニットの壁の上端部と前記上階建物ユニットの下端部とを接合するせん断ボルトを取り付けることを特徴とするユニット建物の構築方法。
【発明の詳細な説明】
【技術分野】
【０００１】
本発明は、下階建物ユニットの上に上階建物ユニットを接合する多層構造のユニット建物及びその構築方法に関するものである。
【背景技術】
【０００２】
従来、工場で組み立てられた複数の建物ユニットを建築現場に運搬し、所定の位置に配置した建物ユニット同士を接合してユニット建物を構築する方法が知られている（特許文献１，２など参照）。
【０００３】
このようなユニット建物では、特許文献１などに記載されているように下階の建物ユニットと上階の建物ユニットはボルトを介して接合されている。
【０００４】
また、ユニット建物には、特許文献２に記載されているようにクレーンで吊り上げる際に使用する吊りボルトを取り付けるための係止金物が取り付けられている。
【特許文献１】特開平１０−２８０５５２号公報
【特許文献２】特許第３１９９４４７号公報
【発明の開示】
【発明が解決しようとする課題】
【０００５】
しかしながら、前記した従来のユニット建物では、係止金物は建物ユニットをクレーンで吊り上げる際にしか使用されず、下階建物ユニットと上階建物ユニットとを接合する際には接合用の耐力の大きいボルトを固定するための接合用金物を使用して接合をおこなっていた。
【０００６】
また、壁式工法の建物ユニットによって構築されるユニット建物では、耐力壁の引抜き力が縦枠を配した壁端部に作用するので、上階の建物ユニットの浮き上がりを防止するためには可能な限り耐力壁に近い位置で接合するのが好ましいが、耐力の大きな一本のボルトで局所的に接合をおこなう従来の構造では接合用金物が大型になるなどの形状的な理由のため耐力壁に近接させるにも限界があった。
【０００７】
そこで、本発明は、吊りボルトを取り付ける係止金物を有効利用するとともに、接合部に作用する力の方向に応じて伝達箇所を分散させることが可能なユニット建物及びその構築方法を提供することを目的としている。
【課題を解決するための手段】
【０００８】
前記目的を達成するために、本発明は、吊りボルトの取り付けが可能な係止金物を壁内部に備えた下階建物ユニット上に上階建物ユニットを接合するユニット建物であって、前記係止金物は、前記吊りボルトを螺合可能な雌ねじ部と前記壁内部に取り付け固定するための枠体とを有し、前記雌ねじ部に下端を固定した連結ボルトの上端を前記上階建物ユニットに固定するとともに、前記下階建物ユニットの上端部と前記上階建物ユニットの下端部とをせん断ボルトで接合するユニット建物であることを特徴とする。
【０００９】
また、上記のユニット建物の構築方法であって、前記係止金物の雌ねじ部に前記吊りボルトを螺合して前記下階建物ユニットを吊り上げて所定の位置に設置し、前記係止金物から前記吊りボルトを取り外し、前記雌ねじ部に前記連結ボルトを螺合して前記連結ボルトの上端を前記下階建物ユニット上に設置した上階建物ユニットに固定するとともに、前記下階建物ユニットの壁の上端部と前記上階建物ユニットの下端部とを接合するせん断ボルトを取り付けるユニット建物の構築方法であることを特徴とする。
【発明の効果】
【００１０】
このように構成された本発明は、壁内部に取り付けられた係止金物が吊りボルトを螺合できるように形成されているため建物ユニットの設置に使用できる。
【００１１】
また、この吊りボルトの取り付けに使用した係止金物に固定した連結ボルトとせん断ボルトとによって、上下の建物ユニットの接合をおこなう。
【００１２】
このように壁の直上に接合箇所を設けることで、壁に作用する引抜き力に抵抗して上階建物ユニットの浮き上がりを効果的に抑えることができる。
【００１３】
また、水平力に対しては壁端部から離れた位置に設けたせん断ボルトによって抵抗させることができるので、上下方向の力に対して主に抵抗させる連結ボルトと組み合わせることで接合部に作用する力の方向に応じて力の伝達箇所を分散させることができる。
【発明を実施するための最良の形態】
【００１４】
以下、本発明の最良の実施の形態について図面を参照して説明する。
【００１５】
図１は、本実施の形態のユニット建物１０の下階建物ユニット１Ａと上階建物ユニット１Ｂの接合部の構成を示した断面図である。
【００１６】
まず、構成から説明すると、このユニット建物１０は、図２に示す下階建物ユニット１Ａの上に同様の上階建物ユニット１Ｂを接合した建物であって、この上下の建物ユニットは連結ボルト３とせん断ボルト４とによって接合されている。
【００１７】
本実施の形態の下階建物ユニット１Ａ及び上階建物ユニット１Ｂは、壁式工法による木質系の建物ユニットであって、図２に示すように矩形の床パネル１ａの縁部に耐力壁となる壁パネル１ｂ，・・・を立設して構成されている。
【００１８】
この床パネル１ａは、図１に示すように、根太１４ａと端根太１４ｂとを釘打ちや接着剤によって接合した床枠組の下面に、建物ユニットの下端部としての床下枠１２を接合し、床枠組の上面に床面材を接合したパネルである。
【００１９】
また、壁パネル１ｂは、図１に示すように、壁端部に配置される壁縦枠１３の上端に水平に建物ユニットの上端部としての壁上枠１１を接合し、壁縦枠１３の下端に壁下枠１６を接合して組み立てた壁枠組の両面に外壁１５及び内壁の両面を形成したパネルである。
【００２０】
さらに、この壁パネル１ｂの内部には、図３，４に示すように吊りボルト５及び連結ボルト３の取り付けに使用する係止金物としての箱金物２が収容されている。
【００２１】
この箱金物２は、吊りボルト５及び連結ボルト３に螺合される雌ねじ部としての六角ナット２１と、この六角ナット２１を壁パネル１ｂの壁縦枠１３の上部に収容して取り付けるための枠体２２と、その枠体２２を壁縦枠１３に固定するための曲げボルト２３とから主に構成されている。
【００２２】
この枠体２２は、上板部２２ａとその両側に折り曲げられた側板部２２ｂ，２２ｂと底板部２２ｃとを有する側面視ロ字型の金具であり、単一のペンタイト鋼板を折り曲げて製作されている。
【００２３】
また、側板部２２ｂ，２２ｂには、六角ナット２１の落下を防止するための突起部２２ｅが内側に向けて設けられるとともに、壁縦枠１３に両端が支持された曲げボルト２３を貫通させるための挿通孔２２ｄが設けられている。
【００２４】
一方、壁縦枠１３は、図１，４に示すように、平面視矩形の枠材１３ａ，１３ａの間に上面を箱金物２の高さ分だけ下げたかい木１３ｂを介在させて釘１３ｃ及び接着剤で接合されて一体化されている。
【００２５】
そして、このかい木１３ｂの上面と枠材１３ａ，１３ａの内側面に囲まれた空間に箱金物２を収容して取り付ける。
【００２６】
この箱金物２は、側板部２２ｂ，２２ｂに設けられた挿通孔２２ｄに連通する位置の壁縦枠１３に設けた穿孔から曲げボルト２３を挿入して箱金物２を貫通させ、曲げボルト２３の両端を枠材１３ａ，１３ａに支持させることによって固定する。
【００２７】
なお、この曲げボルト２３の外周には抜け出し防止用のストッパ２３ａ（突起部）が設けられている。
【００２８】
このようにして下階建物ユニット１Ａに取り付け固定された箱金物２の六角ナット２１には、図１に示すように連結ボルト３の下端を螺合し、その連結ボルト３の上端は上階建物ユニット１Ｂの床下枠１２に固定する。
【００２９】
また、この連結ボルト３よりも壁縦枠１３から離れた建物の内部側に壁上枠１１と床下枠１２とを接合するせん断ボルト４を配置する。このせん断ボルト４を配置する位置は、従来の連結ボルトを配置する位置と略同じ位置である。
【００３０】
さらに、このせん断ボルト４を配置するために根太１４ａには切り欠きを設けておく。
【００３１】
次に、本実施の形態のユニット建物１０の構築方法について説明する。
【００３２】
まず、工場で下階建物ユニット１Ａと上階建物ユニット１Ｂを製作し、基礎（図示せず）の構築が終わった建築現場に運搬する。
【００３３】
そして、下階建物ユニット１Ａの四隅に工場で取り付けられた箱金物２に図４に示すように吊りボルト５を螺合し、図２に示すように吊り上げ治具５１を使ってクレーンで吊り上げ、基礎上に設置して固定する。
【００３４】
続いて、下階建物ユニット１Ａの吊りボルト５，・・・を取り外し、代わりに連結ボルト３，・・・の下端を箱金物２の六角ナット２１に螺合して固定する。
【００３５】
この下階建物ユニット１Ａの四隅で上方に突出した連結ボルト３，・・・は、上階建物ユニット１Ｂを設置する際の位置決めに利用できる。
【００３６】
そして、図１に示すように床下枠１２を貫通して上方に突出した連結ボルト３にナット３ａを嵌め、連結ボルト３の上端を上階建物ユニット１Ｂに固定する。
【００３７】
一方、連結ボルト３よりも壁縦枠１３から離れた位置に設けられた壁上枠１１と床下枠１２とを貫通する孔にせん断ボルト４を挿入し、その上端と下端をそれぞれ壁上枠１１と床下枠１２にナット４ａ，４ａで固定する。
【００３８】
このように構成された本発明は、壁縦枠１３に取り付けられた箱金物２が吊りボルト５を螺合できるように形成されているため、建物ユニットを吊り上げる際の吊りボルト５の係止金物として使用できる。
【００３９】
また、この箱金物２に固定した連結ボルト３とせん断ボルト４とによって、上下の建物ユニット１Ａ，１Ｂの接合をおこなう。
【００４０】
この箱金物２は耐力壁である壁パネル１ｂの端部の壁縦枠１３に固定されており、箱金物２に下端を固定した連結ボルト３によって上階建物ユニット１Ｂを固定することで、耐力壁の壁縦枠１３の直上に接合箇所を設けることができ、壁端部に作用する引抜き力に抵抗して上階建物ユニット１Ｂの浮き上がりを効果的に抑えることができる。
【００４１】
また、水平力に対して連結ボルト３のせん断抵抗だけでは不足する分は、壁縦枠１３から離れた位置に取り付けられたせん断ボルト４によって抵抗することができるので、上下方向の引抜き力に対して主に抵抗させる連結ボルト３と組み合わせることで接合部に作用する力の方向に応じて力の伝達箇所を分散させることができる。
【００４２】
さらに、このような力の伝達箇所の分散をおこなうことで壁上枠１１や床下枠１２に応力集中を起こさせないようにすることができる。
【００４３】
また、吊りボルト５の取り付け用に必要な箱金物２を吊り上げ後も有効に利用できるとともに、吊りボルト５の径と同径にすることによって連結ボルト３のサイズが小さくなったとしても、せん断ボルト４によって不足する耐力を補うことができる。
【実施例】
【００４４】
以下、この実施例では、前記実施の形態で説明した箱金物２とは別の形態の係止金物について図５，６を参照しながら説明する。なお、前記実施の形態で説明した内容と同一乃至均等な部分の説明については同一符号を付して説明する。
【００４５】
図５は、実施例のユニット建物１０の下階建物ユニット１Ａと上階建物ユニット１Ｂの接合部の構成を示した断面図である。
【００４６】
まず、構成から説明すると、このユニット建物１０は、前記実施の形態と同様に下階建物ユニット１Ａの上に上階建物ユニット１Ｂを接合した建物であって、連結ボルト３とせん断ボルト４とによって接合されている。
【００４７】
この実施例では、連結ボルト３の下端を固定する係止金物としての引寄せ金物６は、図６に示すように雌ねじ部としてのタップ加工部６１と、このタップ加工部６１を壁パネル１ｂの壁縦枠１３の上部に配置して取り付けるための枠体６２と、その枠体６２を壁縦枠１３に固定するための係止ボルト６３とから主に構成されている。
【００４８】
この枠体６２は、厚板状のタップ加工部６１の一側面を固定する薄板状の平板部６２ａと、平板部６２ａの表面とタップ加工部６１の上面とを連結するために平行に取り付けられた二枚の補強板部６２ｂ，６２ｂと、係止ボルト６３を挿通させる挿通孔とから構成されている。
【００４９】
この係止ボルト６３は、壁縦枠１３を構成する一方の枠材１３ａに穿孔された貫通孔に挿入され、端部に設けられた座金部６３ａを枠材１３ａに釘などで接合することによって配置する。
【００５０】
そして、壁縦枠１３の内部に突出した係止ボルト６３，６３の先端に引寄せ金物６の挿通孔を通し、ナット６３ｂ，６３ｂで固定する。
【００５１】
このように壁縦枠１３に取り付け固定された引寄せ金物６には、補強板部６２ｂ，６２ｂの間を通して連結ボルト３の下端をタップ加工部６１に導き螺合させる。
【００５２】
また、この引寄せ金物６は、連結ボルト３を固定するために使用できるだけでなく、吊りボルト５を螺合する吊り用金物としても使用できる。
【００５３】
なお、他の構成及び作用効果については、前記実施の形態と略同様であるので説明を省略する。
【００５４】
以上、図面を参照して、本発明の最良の実施の形態を詳述してきたが、具体的な構成は、この実施の形態及び実施例に限らず、本発明の要旨を逸脱しない程度の設計的変更は、本発明に含まれる。
【００５５】
例えば、前記実施の形態及び実施例では連結ボルト３の上端を上階建物ユニット１Ｂの床下枠１２に固定したが、これに限定されるものではなく、例えば上階建物ユニット１Ｂの壁縦枠１３に固定した箱金物２や引寄せ金物６に上端を固定したボルトを床パネル１ａ内に垂下させ、そのボルトの下端と連結ボルト３の上端を床金物を介して接合することによって上階建物ユニット１Ｂを固定してもよい。
【００５６】
また、前記実施の形態及び実施例では下階建物ユニット１Ａの上端部と上階建物ユニット１Ｂの下端部として壁上枠１１と床下枠１２を例に説明したが、これに限定されるものではなく、上端部や下端部が面材や梁や根太などであってもよい。
【００５７】
さらに、前記実施の形態及び実施例では壁縦枠１３の内部に箱金物２や引寄せ金物６を収容した場合について説明したが、これに限定されるものではなく、壁縦枠１３の側面に箱金物２や引寄せ金物６を固定してもよい。
【００５８】
また、前記実施の形態では連結ボルト３を箱金物２に取り付けてから上階建物ユニット１Ｂを設置したが、これに限定されるものではなく、上階建物ユニット１Ｂを下階建物ユニット１Ａ上に設置した後に連結ボルト３を箱金物２に螺合してもよい。
【図面の簡単な説明】
【００５９】
【図１】本発明の最良の実施の形態のユニット建物の接合部の構成を示した説明図である。
【図２】建物ユニットを吊り上げる状態を説明する斜視図である。
【図３】箱金物の構成を説明する斜視図である。
【図４】壁縦枠の内部に箱金物を取り付けた状態を説明する説明図である。
【図５】実施例のユニット建物の接合部の構成を示した説明図である。
【図６】（ａ）は壁縦枠の内部に引寄せ金物を取り付けた状態を説明する断面図、（ｂ）は（ａ）のＡ−Ａ矢視方向から見た側面図である。
【符号の説明】
【００６０】
１０          ユニット建物
１Ａ          下階建物ユニット
１Ｂ          上階建物ユニット
１１          壁上枠（上端部）
１２          床下枠（下端部）
１３          壁縦枠
２            箱金物（係止金物）
２１          六角ナット（雌ねじ部）
２２          枠体
３            連結ボルト
４            せん断ボルト
５            吊りボルト
６            引寄せ金物（係止金物）
６１          タップ加工部（雌ねじ部）
６２          枠体
【図１】
2007262867.tif 000003
【図２】
2007262867.tif 000004
【図３】
2007262867.tif 000005
【図４】
2007262867.tif 000006
【図５】
2007262867.tif 000007
【図６】
2007262867.tif 000008